(57)【要約】【課題】  常に最新の情報を提供することができ、興味をひく検索語を探すことを可能とする。【解決手段】  本発明は、最新のＷｅｂページ情報を取得し、Ｗｅｂページ情報をカテゴリに分類し、カテゴリに分類された文書情報からページ語を抽出し、ユーザがキーワード検索で入力した検索語を収集し、検索語の使用回数を検索語別に集計し、使用回数の上位検索語を取得し上位検索語を複数のカテゴリに分類し、分類されたページ語と検索語を統合して統合情報を作成・蓄積し、クライアント端末からの要求に応じて提供し、クライアントが情報提供サーバから取得した統合情報をカテゴリ毎にグループとして表示する。【選択図】  図１
2005122683.tif 000002
【特許請求の範囲】
【請求項１】
ネットワーク上で公開されているＷｅｂページ情報から最新情報を提供するための情報提供方法において、
情報提供サーバにおいて、
ネットワークに接続された１つ以上の情報提供サーバで公開されているＷｅｂページ情報から更新されたＷｅｂページ情報を取得し、
前記Ｗｅｂページ情報を予め与えられた複数のカテゴリに分類し、
カテゴリに分類された文書情報から各カテゴリを特徴付けるページ語を抽出し、
ユーザがキーワード検索で入力した検索語を収集し、
前記検索語の使用回数を前記検索語別に集計し、使用回数の上位Ｎ件の検索語を取得し、
前記上位Ｎ件の検索語を予め与えられた複数のカテゴリに分類し、
カテゴリに分類されたページ語と検索語を統合して統合情報を作成し、クライアント端末からの要求に応じて、該統合情報を提供し、
クライアント端末において、
前記情報提供サーバから取得した前記統合情報をカテゴリ毎にグループとして表示する、ことを特徴とする情報提供方法。
【請求項２】
前記クライアント端末において、
前記統合情報をカテゴリ毎に２次元マップ上に表示し、
検索語の使用回数の集計結果に基づいて、該検索語の文字サイズ、色、フォントを含む文字属性や、マークを付加することにより識別表示を行う請求項１記載の情報提供方法。
【請求項３】
前記情報提供サーバにおいて、
前記統合情報を複数記憶手段に蓄積し、
前記クライアント端末において、
前記情報提供サーバから取得した前記統合情報を、時系列に従って順に表示し、
連続した統合情報に同じ語がある場合には、該語の表示位置を同じにする請求項１または、２記載の情報提供方法。
【請求項４】
前記クライアント端末において、
前記統合情報からカテゴリ毎にカテゴリを代表するＬ件（Ｌは自然数）の代表語を選択し、
代表語を常に表示させながら、カテゴリ表示領域の大きさに連動してカテゴリ内の表示語数を増減させる請求項１乃至３のいずれか１項記載の情報提供方法。
【請求項５】
ネットワーク上で公開されているＷｅｂページ情報から最新情報を提供するための情報提供システムであって、
前記ネットワークに接続された１つ以上の情報提供サーバで公開されているＷｅｂページ情報から更新されたＷｅｂページ情報を取得する最新ページ収集手段と、
Ｗｅｂページ情報を予め与えられた複数のカテゴリに分類するページ分類手段と、
カテゴリに分類された文書情報から各カテゴリを特徴付けるページ語を抽出するページ語抽出手段と、
ユーザがキーワード検索で入力した検索語を収集する検索語収集手段と、
前記検索語の使用回数を前記検索語別に集計し、使用回数の上位Ｎ件の検索語を取得する検索語集計手段と、
前記上位Ｎ件の検索語を予め与えられた複数のカテゴリに分類する検索語分類手段と、
カテゴリに分類されたページ語と検索語を統合して統合情報を作成する統合手段と、を有する情報提供サーバと、
前記情報提供サーバから前記統合情報を取得して、カテゴリ毎にグループとして表示する表示制御手段、を有するクライアント端末と、
を有することを特徴とする情報提供システム。
【請求項６】
前記表示制御手段は、
前記統合情報をカテゴリ毎に２次元マップ上に表示する手段と、
前記検索語の使用回数の集計結果に基づいて、該検索語の文字サイズ、色、フォントを含む文字属性や、マークを付加することにより識別表示を行う手段と、を含む請求項５記載の情報提供システム。
【請求項７】
前記情報提供サーバは、
前記統合情報を複数記憶手段に蓄積する手段と、
前記クライアント端末からの要求に応じて、前記記憶手段から前記統合情報を読み出して、該クライアント端末に送信する手段と、を更に有し、
前記クライアント端末の前記表示制御手段は、
前記情報提供サーバから取得した複数の統合情報を時系列に従って順に表示する手段と、
連続した統合情報に同じ語がある場合には、該語の表示位置を同じにする手段と、を有する請求項５または、６記載の情報提供システム。
【請求項８】
前記クライアント端末の前記表示制御手段は、
前記統合情報からカテゴリ毎にカテゴリを代表するＬ件（Ｌは自然数）の代表語を選択する手段と、
代表語を常に表示させながら、カテゴリ表示領域の大きさに連動してカテゴリ内の表示語数を増減させる手段と、を含む請求項５乃至７のいずれか１項記載の情報提供システム。
【請求項９】
ネットワーク上で公開されているＷｅｂページ情報から最新情報を提供するための情報提供サーバに実行させる情報提供プログラムであって、
前記ネットワークに接続された１つ以上の情報提供サーバで公開されているＷｅｂページ情報から更新されたＷｅｂページ情報を取得する最新ページ収集ステップと、
前記Ｗｅｂページ情報を予め与えられた複数のカテゴリに分類するページ分類ステップと、
カテゴリに分類された文書情報から各カテゴリを特徴付けるページ語を抽出するページ語抽出ステップと、
ユーザがキーワード検索で入力した検索語を収集する検索語収集ステップと、
検索語の使用回数を検索語別に集計し、使用回数の上位Ｎ件の検索語を取得する検索語集計ステップと、
前記上位Ｎ件の検索語を予め与えられた複数のカテゴリに分類する検索語分類ステップと、
カテゴリに分類されたページ語と前記検索語を統合して統合情報を作成し、記憶手段に蓄積する統合ステップと、を実行させることを特徴とする情報提供プログラム。
【請求項１０】
ネットワーク上で公開されているＷｅｂページ情報から最新情報を提供するためのクライアント端末に実行させる情報提供プログラムであって、
情報提供サーバから統合情報を取得する統合情報取得ステップと、
統合情報をカテゴリ毎にグループとして表示する表示制御ステップと、を実行させることを特徴とする情報提供プログラム。
【請求項１１】
前記表示制御ステップは、
前記統合情報をカテゴリ毎に２次元マップ上に表示するステップと、
前記統合情報に含まれる検索語の使用回数の集計結果に基づいて、該検索語の文字サイズ、色、フォントを含む文字属性や、マークを付加することにより識別表示を行うステップと、を実行させる請求項１０記載の情報提供プログラム。
【請求項１２】
前記表示制御ステップは、
複数の統合情報を時系列に従って順に表示するステップと、
連続した統合情報に同じ語がある場合には、該語の表示位置を同じにするステップと、を実行させる請求項１０または、１１記載の情報提供プログラム。
【請求項１３】
前記表示制御ステップは、
前記統合情報からカテゴリ毎にカテゴリを代表するＬ件（Ｌは自然数）の代表語を選択するステップと、
代表語を常に表示させながら、カテゴリ表示領域の大きさに連動してカテゴリ内の表示語数を増減させるステップと、を実行させる請求項１０乃至１２のいずれか１項記載の情報提供プログラム。
【発明の詳細な説明】
【技術分野】
【０００１】
本発明は、情報提供方法及びシステム及び情報提供プログラムに係り、特に、インターネット等のネットワークに接続された１つ以上の情報提供サーバで公開されているＷｅｂページ情報から最新情報を取得し、表示する情報提供方法及びシステム及び情報提供プログラムに関する。詳しくは、最新Ｗｅｂページから収集した語と、利用者がキーワード検索において入力した検索語とを一度に表示するための情報提供方法及びシステム及び情報提供プログラムに関する。
【背景技術】
【０００２】
従来、インターネットなどのネットワーク上で公開されている情報を探す手段としては、キーワード検索がよく利用されている。ユーザはどうしてそのキーワード（検索語）を入力したのかという背景を考えるに、検索語で代表される情報をネットワーク上で閲覧できていないからである。検索語を入力した人々は、テレビ、ラジオ、新聞といったネットワーク以外で提供されている情報に興味を抱いたり、友人、知人から伝え聞いた情報に興味を持ったりした結果、より詳しい情報をネットワーク上に求めているのである。ネットワーク上には、人々が知りたい（検索語に代表される）情報の詳細が存在しているが、人々が始めからネットワーク上で情報に出会い、興味を抱く機会が少ないのが現状である。
【０００３】
ユーザによって入力された検索語は、それ自体がユーザのニーズを表しており、利用回数の高い検索語ランキングを提示することで、現在どのような事象に世の中の関心が集まっているかを提供する技術がある（例えば、非特許文献１参照）。検索語ランキングは、一定期間毎に入力された検索語を集計して生成され、生成された検索語ランキングを提供するＷｅｂページが更新される。従来、１ヶ月単位、１週間単位での検索語ランキングが生成されていたが、１時間単位で生成するサービスも出てきている（非特許文献２参照）。
【非特許文献１】http://www.lvcus.co.jp/50/
【非特許文献２】http://www.nifty.com/serch/shun/
【発明の開示】
【発明が解決しようとする課題】
【０００４】
しかしながら、検索語ランキングはユーザによる使用回数が多くなってから、即ち、検索語に代表される情報への関心が高まってからしか提示することができない。
【０００５】
また、どのくらい前から検索語がランクインしたのか、検索語のランキングが上昇しているのか、下降しているのかといった推移を知りたい場合には、前回のランキングを表示し、最新のランキングと見比べるという作業を行わなければならない。さらに、ランキングは一番上にランキングトップの検索語、一つ下にランキング２位の検索語といったように、ランキング順に上から下に並べて表示されているため、まず、リストから検索語を探し出す作業を行わなければならない。
【０００６】
一方、興味のある分野の最新情報を得ようとすると、頻繁にその情報が公開されているであろうＷｅｂページにアクセスし、更新されているかどうかを調べなくてはならず、大変手間がかかるという問題がある。さらに、ユーザが普段閲覧しているＷｅｂページ以外に興味をひくであろう最新情報がある場合、Ｗｅｂページのリンクを辿ったり、キーワード検索を行ったりしなければならず、効率よく到達できないという問題がある。
【０００７】
本発明は、上記の点に鑑みなされたもので、Ｗｅｂページから収集した常に最新の情報を提供することができ、興味をひく単語を探すことが可能な情報提供方法及びシステム及び情報提供プログラムを提供することを目的とする。
【０００８】
また、キーワード検索により入力された検索語をきっかけにこれから話題になる可能性のある最新情報に容易にアクセスすることが可能な情報提供方法及びシステム及び情報提供プログラムを提供することを目的とする。
【０００９】
また、ユーザが興味のあるカテゴリからそのカテゴリ内の情報に容易にアクセスすることが可能な情報提供方法及びシステム及び情報提供プログラムを提供することを目的とする。
【００１０】
また、時間による語の推移をユーザが容易に認識できる情報提供方法及びシステム及び情報提供プログラムを提供することを目的とする。
【００１１】
さらに、カテゴリの数が増加する場合に、表示する語の数を制限することが可能な情報提供方法及びシステム及び情報提供プログラムを提供することを目的とする。
【課題を解決するための手段】
【００１２】
図１は、本発明の原理を説明するための図である。
【００１３】
本発明は、ネットワーク上の情報提供サーバで公開されているＷｅｂページ情報から最新情報を提供するための情報提供方法において、
情報提供サーバにおいて、
ネットワークに接続された１つ以上の情報提供サーバで公開されているＷｅｂページ情報から更新されたＷｅｂページ情報を取得し（ステップ１）、
Ｗｅｂページ情報を予め与えられた複数のカテゴリに分類し（ステップ２）、
カテゴリに分類された文書情報から各カテゴリを特徴付けるページ語を抽出し（ステップ３）、
ユーザがキーワード検索で入力した検索語を収集し（ステップ４）、
検索語の使用回数を検索語別に集計し、使用回数の上位Ｎ件の検索語を取得し（ステップ５）、
上位Ｎ件の検索語を予め与えられた複数のカテゴリに分類し（ステップ６）、
カテゴリに分類されたページ語と検索語を統合して統合情報を作成し、クライアント端末からの要求に応じて、該統合情報を提供し（ステップ７）、
クライアントにおいて、
情報提供サーバから取得した統合情報をカテゴリ毎にグループとして表示する（ステップ８）。
【００１４】
また、本発明は、統合情報をカテゴリ毎に２次元マップ上に表示し、
検索語の使用回数の集計結果に基づいて、該検索語の文字サイズ、色、フォントを含む文字属性や、マークを付加することにより識別表示を行う。
【００１５】
また、本発明は、情報提供サーバにおいて、統合情報を複数記憶手段に蓄積し、クライアント端末からの要求に応じて、該統合情報を読み出して、該クライアント端末に送信し、
クライアント端末において、
情報提供サーバから取得した複数の統合情報を時系列に従って順に表示し、
連続した統合情報に同じ語がある場合には、該語の表示位置を同じにする。
【００１６】
また、本発明は、クライアント端末において、
統合情報からカテゴリ毎にカテゴリを代表するＬ件（Ｌは自然数）の代表語を選択し、
代表語を常に表示させながら、カテゴリ表示領域の大きさに連動してカテゴリ内の表示語数を増減させる。
【００１７】
図２は、本発明の原理構成図である。
【００１８】
本発明は、ネットワーク上で公開されているＷｅｂページ情報から最新情報を提供するための情報提供システムであって、
ネットワークに接続された１つ以上の情報提供サーバで公開されているＷｅｂページ情報から更新されたＷｅｂページ情報を取得する最新ページ収集手段１０１と、
Ｗｅｂページ情報を予め与えられた複数のカテゴリに分類するページ分類手段１０２と、
カテゴリに分類された文書情報から各カテゴリを特徴付けるページ語を抽出するページ語抽出手段１０３と、
ユーザがキーワード検索で入力した検索語を収集する検索語収集手段１０４と、
検索語の使用回数を検索語別に集計し、使用回数の上位Ｎ件の検索語を取得する検索語集計手段１０５と、
上位Ｎ件の検索語を予め与えられた複数のカテゴリに分類する検索語分類手段１０６と、
カテゴリに分類されたページ語と検索語を統合して統合情報を作成する統合手段１０８と、を有する情報提供サーバ１００と、
情報提供サーバから統合情報を取得して、カテゴリ毎にグループとして表示する表示制御手段２１０、を有するクライアント端末２００と、を有する。
【００１９】
また、本発明の表示制御手段２１０は、
統合情報をカテゴリ毎に２次元マップ上に表示する手段と、
検索語の使用回数の集計結果に基づいて、該検索語の文字サイズ、色、フォントを含む文字属性や、マークを付加することにより識別表示を行う手段と、を含む。
【００２０】
また、本発明の情報提供サーバ１００は、
統合情報を複数記憶手段に蓄積する手段と、
クライアント端末からの要求に応じて記憶手段から統合情報を読み出して、クライアント端末に送信する手段と、を更に有し、
クライアント端末２００の表示制御手段２１０は、
情報提供サーバから取得した複数の統合情報を、時系列に従って順に表示する手段と、
連続した統合情報に同じ語がある場合には、該語の表示位置を同じにする手段と、を有する。
【００２１】
また、本発明のクライアント端末の表示制御手段は、
統合情報からカテゴリ毎にカテゴリを代表するＬ件（Ｌは自然数）の代表語を選択する手段と、
代表語を常に表示させながら、カテゴリ表示領域の大きさに連動してカテゴリ内の表示語数を増減させる手段と、を含む。
【００２２】
本発明は、ネットワーク上で公開されているＷｅｂページ情報から最新情報を提供するための情報提供サーバに実行させる情報提供プログラムであって、
ネットワークに接続された１つ以上の情報提供サーバで公開されているＷｅｂページ情報から更新されたＷｅｂページ情報を取得する最新ページ収集ステップと、
Ｗｅｂページ情報を予め与えられた複数のカテゴリに分類するページ分類ステップと、
カテゴリに分類された文書情報から各カテゴリを特徴付けるページ語を抽出するページ語抽出ステップと、
ユーザがキーワード検索で入力した検索語を収集する検索語収集ステップと、
検索語の使用回数を検索語別に集計し、使用回数の上位Ｎ件の検索語を取得する検索語集計ステップと、
上位Ｎ件の検索語を予め与えられた複数のカテゴリに分類する検索語分類ステップと、
カテゴリに分類されたページ語と検索語を統合して統合情報を作成し、記憶手段に蓄積する統合ステップと、を実行させる。
【００２３】
また、本発明は、ネットワーク上の情報提供サーバで公開されているＷｅｂページ情報から最新情報を提供するためのクライアント端末に実行させる情報提供プログラムであって、
情報提供サーバから統合情報を取得する統合情報取得ステップと、
統合情報をカテゴリ毎にグループとして表示する表示制御ステップと、を実行させる。
【００２４】
また、本発明の表示制御ステップは、
統合情報をカテゴリ毎に２次元マップ上に表示するステップと、
統合情報に含まれる検索語の使用回数の集計結果に基づいて、該検索語の文字サイズ、色、フォントを含む文字属性や、マークを付加することにより識別表示を行うステップと、を実行させる。
【００２５】
また、本発明の表示制御ステップは、
情報提供サーバから取得した複数の統合情報を読み出して、時系列に従って順に表示するステップと、
連続した統合情報に同じ語がある場合には、該語の表示位置を同じにするステップと、を実行させる。
【００２６】
また、本発明の表示制御ステップは、
統合情報からカテゴリ毎にカテゴリを代表するＬ件（Ｌは自然数）の代表語を選択するステップと、
代表語を常に表示させながら、カテゴリ表示領域の大きさに連動してカテゴリ内の表示語数を増減させるステップと、を実行させる。
【発明の効果】
【００２７】
上述のように、本発明では、更新されたＷｅｂページ情報から単語を抽出し表示することで、常に最新の情報を提供することができ、カテゴリ毎にグループとして表示することにより、興味のあるカテゴリをきっかけに、興味を引く単語を探すことが可能となる。
【００２８】
さらに、キーワード検索で入力された検索語も同様のカテゴリに分類し、文字サイズやマークなどで強調して表示することにより、既に利用者の関心が高まっている語であることを視覚的に提供することができる。強調表示された検索語をユーザが既に知っていた場合は、その検索語をきっかけにこれから話題になる可能性のある最新情報にアクセスすることができる。
【００２９】
また、情報をカテゴリ毎に分類して２次元マップ上に表示することにより、情報の全体像を容易に把握することができ、ユーザは興味あるカテゴリをきっかけに、そのカテゴリ内の情報を容易にアクセスすることができる。
【００３０】
また、最新情報の移り変わりや検索語の使用回数の遷移を提供することにより、より多くの情報を提供することができると共に、時間による語の推移がわかることで、ユーザの興味をさらにかきたてることができる。
【００３１】
また、カテゴリの数の増加に対応すべく、表示する語の数を制限し、カテゴリ内での検索語の使用回数が最多の語や、数多くのＷｅｂページで取り上げられているページ語といったカテゴリを代表する語（代表語）のみを表示する代表表示と、代表語と代表語以外の語（詳細語）を表示する詳細表示との２つの表示形態を有することにより、多数のカテゴリを表示させることが可能となる。
【発明を実施するための最良の形態】
【００３２】
以下、図面を用いて本発明の実施の形態を説明する。
【００３３】
［第１の実施の形態］
図３は、本発明の第１の実施の形態におけるシステム構成図である。
【００３４】
同図に示すシステムは、情報提供サーバ１００、クライアント端末２００、検索システム３００から構成される。
【００３５】
検索システム３００は、検索サイトやポータルサイトの検索機能を提供するシステムであり、ネットワークに接続された特定の情報提供サーバから新規に公開あるいは更新のあったＷｅｂページ情報を次々と収集し、蓄積するページ情報収集蓄積部３１０と、ユーザからのキーワード入力を受信し、検索結果ページを生成するキーワード検索部３２０から構成される。
【００３６】
ページ情報収集蓄積部３１０は、１つのＵＲＬから収集したＷｅｂページ情報に対して、ＨＴＭＬ形式のタグを削除し、テキスト情報として取り出せる形で蓄積している。キーワード検索部３２０は、ユーザから入力された検索語を検索語ログ情報として蓄積している。検索システム３００は、既存の技術であり、本発明の対象外である。
【００３７】
情報提供サーバ１００は、ページ語選出部１２０、検索語選出部１３０、分類済み語蓄積部１０７、統合部１０８、統合情報蓄積部１０９、カテゴリ情報蓄積部１１０とから構成される。
【００３８】
ページ語選出部１２０は、最新ページ収集部１０１、ページ分類部１０２、ページ語抽出部１０３とから構成される。検索語選出部１３０は、検索語収集部１０４、検索語集計部１０５、検索語分類部１０６から構成される。
【００３９】
まず、本発明の処理の流れを図３を用いて説明する。
【００４０】
ページ語選出部１２０は、ページ情報収集蓄積部３１０に収集・蓄積されているＷｅｂページ情報から、指定した期間に収集したＷｅｂページ情報をテキスト情報として取得し、テキスト情報をカテゴリ分類した後、各カテゴリから特徴的な語をページ語として抽出する。
【００４１】
検索語選出部１３０は、キーワード検索部３２０に蓄積されている検索語ログ情報から、指定した期間に収集した検索語ログ情報を取得し、使用回数の多い上位Ｎ件の検索語を取得し、カテゴリ分類する。本発明では、例えば、現在から３０分間といった期間指定を行い、新たに収集されたＷｅｂページ情報及び検索語ログ情報から、それぞれページ語、検索語を抽出する。
【００４２】
統合部１０８は、ページ語選出部１２０で抽出されたページ語、及び、検索語選出部１３０で選出された検索語をカテゴリ毎に統合し、定期的に統合情報を作成し、統合情報蓄積部１０９に蓄積する。
【００４３】
蓄積された統合情報は、クライアント端末２００からの要求に応じてクライアント端末２００に送信され、統合情報を受信したクライアント端末２００は、表示制御部２１０において、カテゴリ毎に語の配置を決定し表示を行う。
【００４４】
上記ページ語選出部１２０及び検索語選出部１３０でテキストをカテゴリ分類する際は、文献（Ueda N. and Saito, K,"Parametiric mixture models for multi-topic text,” Neural Information Processing Systems 15（NIPS15）,2002）に記載された既存技術を利用するものとする。
【００４５】
上記の既存技術の処理概要を簡単に説明する。まず、カテゴリが既知のテキスト集合を機械に学習させ、学習させた機械を用いて未知のテキストがどのカテゴリに属するかを予測する。この予測処理がカテゴリ分類に該当する。
【００４６】
カテゴリ分類するテキストを、テキスト中に出現した単語の頻度ベクトルで表す。テキストＤｎの頻度ベクトルは、単語ＷｉがテキストＤｎ中に出現した回数をＸｎ，ｉで表すと、
Ｘｎ＝（Ｘｎ，１，・・・Ｘｎ，ｖ）
で表される。
【００４７】
カテゴリの総数をＬとし、テキストＤｎが属するカテゴリを示すカテゴリベクトルを、
Ｙｎ＝（Ｙｎ，１，・・・、Ｙｎ，Ｌ）
で表すこととする。ここで、Ｙｎ，ｋは、テキストＤｎが第Ｋカテゴリに属するとき１の値、属さない時０の値をとる。また、各文書は少なくとも１つのカテゴリに属する。
【００４８】
まず、カテゴリが既知のテキスト集合Ｄ＝{（Ｘｎ，Ｙｎ）}（ｎ＝１〜Ｎ）からＸｎのカテゴリがＹｎとなるように機械に学習させる。学習によって得られるパラメータをカテゴリ情報蓄積部１１０に蓄積しておく。次に、この機械を用いて、カテゴリが未知の文書Ｄ＊に対してＸ＊からＹ＊を求める。予測で計算されるカテゴリベクトルＹ＊＝（Ｙ＊１，・・・Ｙ＊，Ｌ）のＹ＊，ｋが、テキストＤ＊の、第Ｋカテゴリに属するかどうかの一致度を示す。
【００４９】
また、カテゴリ情報蓄積部１１０には、第１カテゴリから第Ｌカテゴリまでの各カテゴリの名前を蓄積しておく。
【００５０】
次に、情報提供サーバ１００のページ語選出部１２０の処理の流れについて説明する。図４は、本発明の第１の実施の形態におけるページ語選出処理のフローチャートである。
【００５１】
最新ページ収集部１０１は、検索システム３００のページ情報収集蓄積部３１０から現在からＫ分間の間に収集したＷｅｂページ情報をテキスト情報として取得し（ステップ１０１）、ページ分類部１０２は、各々のテキスト情報に対して、形態素解析を使用してテキスト内に現れる単語を抽出し、単語毎の出現回数を計算する（ステップ１０２）。次に、予め学習しておいたカテゴリ分類用のパラメータを利用し各テキストのカテゴリ一致度を計算し、一致度がある閾値以上のカテゴリを選択する（ステップ１０３）。
【００５２】
次に、ページ語抽出部１０３において、カテゴリ毎に各カテゴリを特徴付ける単語（ページ語）を選択し、ページ語ファイルとして保存する（ステップ１０４）。カテゴリを特徴付ける単語の選択方法としては、ｔｆ−ｉｄｆ値を利用する方法がある。
【００５３】
ｔｆ（term frequency）は、あるテキストにおける語の出現回数を表し、ｉｄｆ（inverse document frequency）は、ｄｆ（document frequency:語が出現するテキストの数）の逆数で、語ｔ、テキスト数Ｎの場合、次のように定義される。
【００５４】
idf（t） ＝ log（Ｎ／df（t））
tf-idf値は、前述のtfとidfの積をとったものであり、次のように定義され、値が大きいほど、特定のテキストにおいてのみ出現回数が多いという特性を持つ。
【００５５】
ti-idf（t）=tf（t）*idf（t）=tf（t）・log（N/df（t））
上記説明において、テキストをカテゴリに置き換えてif-idf値を算出すると、特定のカテゴリにおいてのみ出現回数の多い単語が抽出できる。
【００５６】
また、ページ語を分類済み語蓄積部１０７に登録して（ステップ１０５）、処理を終える。
【００５７】
次に、情報提供サーバ１００の検索語選出部１３０の処理の流れについて説明する。
【００５８】
図５は、本発明の第１の実施の形態における検索語選出処理のフローチャートである。
【００５９】
検索語収集部１０４は、検索システム３００のキーワード検索部３２０から、定期的に検索語を収集し（ステップ２０１）、検索語集計部１０５において、検索語別に使用回数を集計し、上位Ｎ件の検索語を次の処理に渡す（ステップ２０２）。検索語分類部１０６は、検索語を１つずつ取り出し（ステップ２０３）、次の処理を行う。
【００６０】
まず、検索語が分類済み語蓄積部１０７に既に登録されている語かどうかを調べ（ステップ２０４）、登録済みの場合は、検索語ファイルに検索語を追加する（ステップ２１１）。登録されていない場合、検索語をキーワード検索の入力とし、検索結果のＨＴＭＬ文書を取得する（ステップ２０５）。検索結果のＨＴＭＬ文書から検索結果として記入されているリンク先のＵＲＬ情報を上位Ｍ件取得し、各ＵＲＬ情報に対して、ＵＲＬで特定されるＷｅｂページにアクセスし、Ｗｅｂページ情報を取得し、ＨＴＭＬ形式の情報の場合はＨＴＭＬのタグを排除するなどして、１ページを１テキストとして保存する（ステップ２０６）。
【００６１】
次に、テキスト内に現れる単語の出現回数を計算し（ステップ２０７）、予め学習しておいたカテゴリ分類用のパラメータを用いてカテゴリの一致度を計算し（ステップ２０８）、Ｍ件のテキストに対してカテゴリ毎の一致度を求める（ステップ２０９）。Ｍ件のテキストに対して計算されたカテゴリ一致度をカテゴリ毎に合算し、一致度の高いカテゴリをＬ件選択する（ステップ２１０）。カテゴリの選択された検索語を、検索語ファイルに追加し、保存する（ステップ２１１）。また、分類済み語として分類済み語蓄積部１０７に登録する（ステップ２１２）。
【００６２】
上記のステップ２０３からステップ２１２までの処理をＮ件の検索語について実行し（ステップ２１３）、処理を終了する。
【００６３】
これまでの説明で、ページ語ファイルと検索語ファイルが作成される。ページ語ファイルと検索語ファイルのフォーマットの例を図６に示す。カテゴリ毎に、該カテゴリに属する単語が並んでいる。同図中、５０１がカテゴリＡに属する単語、５０２がカテゴリＢに属する単語、５０３がカテゴリＣに属する単語である。Valueは、検索語ファイルにおいては検索語の使用回数を示す。例えば、５１０のvalue：2000は、ワードＡ１が２０００回使用されたことを表す。また、ページ語ファイルにおいて、ページ語のtf-idf値を示す。
【００６４】
次に、この２つのファイルに保存されている単語を１つにまとめる処理を、統合部１０８で行う。図７は、本発明の第１の実施の形態における統合部の処理のフローチャートである。
【００６５】
統合部１０８では、定期的に新しく抽出されたページ語と検索語を統合して統合情報を作成し、統合情報からクライアントに渡すための統合情報ファイルを生成して統合情報蓄積部１２０に格納する。
【００６６】
統合情報ファイルの例を図８に示す。同図に示す例は、複数期間の統合情報を１つのファイルにまとめた例である。同図中、６０１，６０２がそれぞれ１つの期間において生成された統合情報である。１期間分の先頭には、語を収集した日時を記載し（６１０，６１１）、クライアント端末２００での表示に使用する。また、各語にはページ語か検索語かの区別のために識別子を付ける（６２０，６２１）。この例では、id:0が検索語を示し、id:1がページ語を示す。
【００６７】
次に、統合部１０８での統合処理について説明する。
【００６８】
クライアント端末２００で提示するカテゴリ毎の単語数とページ語と検索語の提示割合を設定ファイル等から読み込む（ステップ３０１）。次に、ページ語ファイルと検索語ファイルが既に作成済みかを調べる（ステップ３０２）。両方のファイルが作成済みの場合、ページ語と検索語の提示割合に最も近い数ずつ２つのファイルから語を選び出し、カテゴリ毎にページ語と検索語を統合して統合情報を作成する（ステップ３０３）。語の選び方はページ語の場合、tf-idf値の大きいものから、検索語の場合使用回数の多いものから選ぶ。
【００６９】
ページ語ファイルのみが存在する場合（ステップ３０５）、存在するページ語ファイルからページ語を取り出し、検索語は１期間前に作成された統合情報の語をそのまま使用して、新しい統合情報を作成する（ステップ３０６）。統合部１０８の統合処理は定期的に行うため、３０分おきに処理をするような場合、１期間前とは３０分前のことを指す。
【００７０】
同様に、検索語ファイルのみが存在する場合（ステップ３０７）、存在する検索語ファイルから検索語を取り出し、ページ語は１期間前に作成された統合情報の語をそのまま使用して、新しい統合情報を作成する（ステップ３０８）。
【００７１】
また、ページ語ファイル、検索語ファイルの両ファイルが存在しなかった場合、１期間前の統合情報の語をそのまま利用し、新しい統合情報を作成する（ステップ３０９）。
【００７２】
統合時、同一カテゴリにおいて、ページ語と検索語とで、同じ語が選ばれた場合、１つだけ統合情報として保存する。ページ語と検索語のどちらに重きをおいて提供するかにより、どちらの語として保存するか決定する。本実施の形態では、利用者のニーズが反映された検索語をページ語より大きなサイズで表示することにより、利用者の興味を抱かせる目的で、検索語を優先させる。
【００７３】
また、異なるカテゴリにおいて、同じ語が存在する場合には、複数のカテゴリで同じ語を表示してもよいし、１つのカテゴリでのみ表示するように制御してもよい。
【００７４】
生成された統合情報に対しては、語を収集した日時の情報６１０を付加する。ここで、統合情報６０１と６０２では、６０１が最新の統合情報であり、６０２が１期間前の統合情報である。日時６１０と６１１も同様に、日時６１０が最新であり、日時６１１は、１期間前の日時である。
【００７５】
日時を付加し、クライアント端末２００に送信する期間の数だけ統合情報を結合し、統合情報ファイルを生成して、統合情報蓄積部１０に蓄積する（ステップ３１０）。
【００７６】
次に、統合情報を表示するクライアント端末２００の処理について説明する。
【００７７】
図９は、本発明の第１の実施の形態におけるクライアント端末の表示制御部の処理のフローチャートであり、図１０は、本発明の第１の実施の形態におけるクライアント端末における表示例を示す。図１０に示す表示例では、カテゴリＡからカテゴリＤまでの４カテゴリをカテゴリ集合２１５としてグループ表示している。各カテゴリは、カテゴリ名２１６の周辺に、当該カテゴリに属するページ語２１３と検索語２１４を表示している。検索語２１４は、ページ語２１３より文字サイズを大きくして表示している。マーク２１７は、カテゴリ内の検索語で使用回数がトップの語に対して付加している。
【００７８】
期間ボタン２１１は、複数の期間を提供する場合に表示し、図１０に示す表示例では、１日単位の期間を７日分表示する例であり、「２００３年８月１日から７日」までの情報を表示することができる。
【００７９】
クライアント端末２００の表示制御部２１０は、情報提供サーバ１００に統合情報ファイルを要求し（ステップ４０１）、統合情報ファイルを受信する（ステップ４０２）。次に、受信した統合情報ファイルが複数期間の統合情報で構成されている場合、最も古い期間の統合情報から順に１期間分の語を読出し（ステップ４０３）、読み出した語をカテゴリ毎に配置していく。まず、読み出した語が、当該語と同じカテゴリの１期間前の統合情報にあるか調べ、ある場合は、１期間前の当該語の表示位置を読み出した語の表示位置として設定する（ステップ４０４）。１期間分の語を全て調べた後、未配置の語（１期間前の統合情報の同一カテゴリ内に同じ語がなかった語）を、カテゴリ内の表示語が設定されていない表示位置に配置していく（ステップ４０５）。
【００８０】
次に、語の識別子によりページ語２１３は全て同じ語のサイズに設定し、検索語２１４は使用回数に応じて、語のサイズを数段階大きく設定する（ステップ４０６）。さらに、検索語の使用回数がトップの語に対してマーク２１７を付加する設定を行う（ステップ４０７）。カテゴリ集合の表示位置やカテゴリ内の語の表示位置は、表示するカテゴリの数やカテゴリ内に表示する語の数によって異なり、予め表示位置を設定しておいてもよいし、語を表示する最大領域等の条件を設定し算出してもよい。
【００８１】
ステップ４０３からステップ４０６までの処理を、情報提供サーバ１００から受信した統合情報の全ての期間において実施した後（ステップ４０７）、表示を行う（ステップ４０８）。ここまでが、情報提供サーバ１００から統合情報ファイルを受信し表示するまでの処理である。
【００８２】
続いて、クライアント端末２００における、ユーザとのインタラクション処理について説明する。
【００８３】
ユーザにより語がクリックされると（ステップ４０９）、クリックされた語を入力としたキーワード検索を実行し、実行結果を新たなウィンドウに表示する（ステップ４１０）。期間ボタン２１１の１つがクリックされると（ステップ４１１）、クリックされた期間の統合情報を表示する（ステップ４１２）。再現ボタン２１２がクリックされると（ステップ４１３）、最も古い期間から、新しい期間に順に統合情報を表示する（ステップ４１４）。更新ボタンがクリックされるか、あるいは、タイマなどで更新時間が来た場合は（ステップ４１５）、情報提供サーバ１００に統合情報ファイルを要求し（ステップ４０１）、受信した統合情報ファイルを表示する。ユーザにより終了が選ばれるまで処理は繰り返され、終了が選ばれた場合には（ステップ４１６）処理を終了する。
【００８４】
［第２の実施の形態］
本実施の形態では、クライアント端末２００において、統合情報を表示する際に、カテゴリの数の増加を考慮し、表示する語の数を制限する場合について説明する。
【００８５】
システム構成については、前述の第１の実施の形態と同様である。
【００８６】
図１１は、本発明の第２の実施の形態におけるクライアント端末における代表表示（初期表示）の例であり、カテゴリ内での検索語の使用回数が最多の語や、数多くのＷｅｂページで取り上げられているページ語といったカテゴリを代表する語（以後、代表語と記す）のみを表示する画面例（以下、代表表示と記す）を示している。
【００８７】
同図に示す代表表示例では、カテゴリＡからカテゴリＤまでの４カテゴリ集合２１５としてグループ表示している。各カテゴリは、カテゴリ名が付与されたカテゴリボタン２１８の周辺に、代表語Ｌ件（Ｌは自然数）を表示している（同図の例では、Ｌ＝２）。検索語１２４はページ語２１３より文字サイズを大きくし、斜体にて表示している。マーク２１７は、カテゴリ内の検索語で使用回数が最多の語に対して付加している。また、同図に示す代表表示からユーザのカテゴリボタン２１８のクリック操作または、システムのタイマによる自動処理によって代表語と代表語以外の語（以下、詳細語と記す）を表示する画面（以下、詳細表示と記す）へと遷移する。
【００８８】
図１２、図１３は、本発明の第２の実施の形態における詳細表示の画面例を示す。
【００８９】
詳細表示は、ユーザまたはタイマによる自動処理にて選択したカテゴリ内での代表語Ｌ件と詳細語からなる総計Ｍ件（Ｍ＞Ｌの自然数）を表示する（同図の例では、Ｌ＝２，Ｍ＝６）。なお、同図に示す表示からユーザのカテゴリボタン２１８のクリック操作またはシステムのタイマによる自動処理によって、詳細表示から代表表示へと遷移する。さらに、ユーザによる他カテゴリのカテゴリボタンのクリック操作または、システムのタイマによる自動処理によって、他カテゴリボタンが選択された場合には、選択されたカテゴリに属する代表語と詳細語を表示する別の詳細表示へ遷移する。
【００９０】
期間ボタン２１１は、複数の期間を提供する場合に表示し、同図に示す例では、１日単位の期間を７日分表示する例を示しており、「２００３年８月１日〜７日」までの情報を表示することができる。
【００９１】
図１２の表示例では、「２００３年８月７日」の情報を表示しており、図１３では、「２００３年８月４日」が表示されている。
【００９２】
図１４、図１５は、本発明の第２の実施の形態におけるクライアント端末の表示制御部の処理のフローチャートである。
【００９３】
クライアント端末２００の表示制御部２１０は、情報提供サーバ１００に統合情報ファイルを要求し（ステップ５４０）、統合情報ファイルを受信する（ステップ５４１）。
【００９４】
次に、受信した統合情報ファイルが複数期間の統合情報で構成されている場合、最も古い期間の統合情報から順に１期間分の語Ｍ件を読み出し（ステップ５４２）、読み出した語のページ語か検索語かを図６に示す識別子６２０，６２１を用いて判別し、ページ語と検索語の数を集計する（ステップ５４３）。集計の結果、検索語が予め指定された代表語表示数Ｎ件より多い場合は、使用回数の多い検索語上位Ｌ件を代表語とする（ステップ５４４）。検索語がＮ件未満でＸ件（Ｘ＜Ｌの自然数）の場合は、不足している数分同じカテゴリに属するページ語のValue値（ｔｆ−ｉｄｆ値）５１０が大きいもの上位Ｙ件（Ｙ＜Ｌの自然数）を選択し、選択された検索語Ｘ件とページ語Ｙ件の語数の和がＬとなるようにする（ステップ５４６）。
【００９５】
ステップ５４５または、ステップ５４６の処理の終了後、カテゴリ毎に詳細表示時の語の配置を行なう。
【００９６】
まず、読み出した語が、該語と同じカテゴリの１期間前の統合情報にあるか調べ、ある場合は、１期間前の該語の表示位置を読み出した語の表示位置として設定する（ステップ５４７）。１期間分の語を全て調べた後、未配置の語（１期間前の統合情報の同一カテゴリ内に同じ語が無かった語）を、カテゴリ内の表示語が設定されていない表示位置に配置していく（ステップ５４８）。次に、語の識別子によりページ語２１３は全て同じ語のサイズに設定し、検索語２１４は斜体文字にし、使用回数に応じて、語のサイズを数段階大きく設定する（ステップ５４９）。このようにカテゴリ毎での表示する語の数を制限し、カテゴリ内での検索語の使用回数が最多の語や、数多くのＷｅｂページで取り上げられているページ語といったカテゴリを代表する語（以下、代表語と記す）のみを表示する代表表示と、代表語と代表語以外の語（以後、詳細語とする）を表示する詳細表示との２つの表示形態を有し、カテゴリボタンの選択操作によりカテゴリないでの表示語数を増減させることにより、画面の表示領域の制限がある場合においても数多くのカテゴリを１画面内で表示することが可能となる。
【００９７】
さらに、検索語の使用回数がトップの語に対してマーク２１７を付与する設定を行う（ステップ５４９）。カテゴリの集合の表示位置やカテゴリ内の語の表示位置は、表示するカテゴリの数やカテゴリ内に表示する語の数によって異なり、予め表示位置を設定しておいてもよいし、語を表示する最大領域等の条件を設定し算出してもよい。
【００９８】
ステップ５４２からステップ５４９までの処理を、情報提供サーバ１００から受信した統合情報の全ての期間において実施した後（ステップ５５０）、各カテゴリの代表語のみを表示する代表表示を初期画面として表示する（ステップ５５１）。ここまでが、情報提供サーバ１００から統合ファイルを受信し、表示するまでの処理である。
【００９９】
続いて、表示後のユーザとのインタラクション処理について説明する。
【０１００】
ユーザにより、代表表示においてカテゴリのカテゴリボタンがクリックされると（ステップ５５２，Ｙｅｓ、ステップ５５３，Ｙｅｓ）、クリックされたカテゴリの表示領域が拡大しながら、詳細表示画面へと連続的に遷移しながら切り替わる（ステップ５５５）。この代表表示（図１１）から詳細表示（図１２）への画面遷移において、代表語は詳細表示位置へカテゴリの拡大率に比例して平行移動させる。
【０１０１】
平行移動時における代表語の配置位置は式（１）により求まる。
【０１０２】
各カテゴリにおけるカテゴリボタンの中心を原点Ｏとした２次元のＸ−Ｙ座標をとる。代表表示時のカテゴリの大きさを基準としたカテゴリの拡大率Ｒを定義し、詳細表示時のカテゴリの拡大率Ｒ−ｍａｘ、代表表示〜詳細表示間のカテゴリの拡大率Ｒｎ，代表語Ｋの詳細表示時における配置位置の中心座標値（Ｘ１，Ｙ１）、代表表示時の配置位置の中心座標値（Ｘ０，Ｙ０），代表表示〜詳細表示間における代表語Ｋの配置位置の中心座標値（Ｘ，Ｙ）とすると、Ｘ，Ｙは、式（１）で表すことができる。
【０１０３】
Ｘ＝（（Ｘ１−Ｘ０）／Ｒｍａｘ）×Ｒｎ＋Ｘ０
Ｙ＝（（Ｙ１−Ｙ０）／Ｒｍａｘ）×Ｒｎ＋Ｙ０
また、カテゴリの拡大率と連動して、図１６に示すように、拡大中のカテゴリの領域内に詳細表示時に表示される語の表示中心座標が含まれれば、逐次詳細表示時の語を表示させていく。このように代表語を詳細表示時の配置場所へカテゴリの拡大と連動させて、平行移動させることにより、代表表示時に気になった単語が、詳細表示時に表示語数が増加してどこに配置されたか分からなくなることを防止する効果がある。詳細表示においてカテゴリボタン２１８がクリックされ（ステップ５５２，５５３，Ｎｏ）、クリックしたカテゴリボタン２１８のカテゴリと詳細語が表示されているカテゴリが同一である場合は（ステップ５５４、Ｙｅｓ）、クリックされたカテゴリの代表語を代表表示時の表示位置へ、図１１から図１２への拡大時とは反対の処理を行い、カテゴリ領域を縮小し、カテゴリの代表表示を行なう（ステップ５５６）。
【０１０４】
詳細表示においてカテゴリボタン２１８がクリックされ、クリックしたカテゴリボタン２１８のカテゴリと詳細語が表示されているカテゴリが異なる場合は（ステップ５５４，Ｎｏ）、クリックされたカテゴリの表示領域が拡大しながら、詳細表示画面へと連続的に遷移しながら切り替わる（ステップ５５５）。この場合、カテゴリボタンのクリック操作直前に拡大していたカテゴリは、画面の表示領域が充分に確保されている場合（画面の表示領域が十分に大きい場合）は、そのまま縮小せずに表示しておいてもよい。表示領域が十分でない場合は、代表表示画面へ遷移する。
【０１０５】
語がクリックされると（ステップ５５７）、クリックされた語を入力としたキーワード検索を実行し、実行結果を新たなウィンドウに表示する（ステップ５５８）。期間ボタン２１１の１つがクリックされると（ステップ５５９）、クリックされた期間の総合情報を表示する（ステップ５６０）。
【０１０６】
再現ボタン２１２がクリックされると（ステップ５６１）、最も古い期間から、新たしい期間に順に統合情報を表示する（ステップ５６２）。
【０１０７】
更新ボタン（図示せず）がクリックされるか、あるいは、タイマなどで更新時間が到来した場合は（ステップ５６３）、情報提供サーバ１００に統合情報ファイルを要求し（ステップ５４０）、受信した統合情報ファイルを表示する。ユーザにより「終了」が選ばれるまで処理は繰り返され、「終了」が選ばれた場合には処理を終了する。
【０１０８】
また、上記の情報提供サーバ１００の動作をプログラムとして構築し、情報提供サーバとして利用されるコンピュータにインストールし、ＣＰＵ等の制御手段により実行させる、または、ネットワークを介して流通させることも可能である。
【０１０９】
また、構築されたプログラムを情報提供サーバとして利用されるコンピュータに接続されるハードディスクやフレキシブルディスク、ＣＤ−ＲＯＭ等の可搬記憶媒体に格納しておき、実行時に、コンピュータにインストールするようにしてもよい。
【０１１０】
また、上記のクライアント端末２００の動作をプログラムとして構築し、クライアント端末として利用されるコンピュータにインストールし、ＣＰＵ等の制御手段により実行させる、または、ネットワークを介して流通させることも可能である。
【０１１１】
また、構築されたプログラムをクライアント端末として利用されるコンピュータに接続されるハードディスクやフレキシブルディスク、ＣＤ−ＲＯＭ等の可搬記憶媒体に格納しておき、実行時に、コンピュータにインストールするようにしてもよい。
【０１１２】
なお、本発明は、上記の実施の形態に限定されることなく、特許請求の範囲内において種々変更・応用が可能である。
【産業上の利用可能性】
【０１１３】
本発明は、インターネット等のネットワークに接続された情報提供サーバ及びクライアント端末に適用可能である。
【図面の簡単な説明】
【０１１４】
【図１】本発明の原理を説明するための図である。
【図２】本発明の原理構成図である。
【図３】本発明の第１の実施の形態におけるシステム構成図である。
【図４】本発明の第１の実施の形態におけるページ語選出処理のフローチャートである。
【図５】本発明の第１の実施の形態における検索語選出処理のフローチャートである。
【図６】本発明の第１の実施の形態におけるページ語・検索語ファイルフォーマットである。
【図７】本発明の第１の実施の形態における統合処理のフローチャートである。
【図８】本発明の第１の実施の形態における統合情報ファイルフォーマット例である。
【図９】本発明の第１の実施の形態におけるクライアント端末の表示制御部における処理のフローチャートである。
【図１０】本発明の第１の実施の形態におけるクライアント端末表示例である。
【図１１】本発明の第２の実施の形態におけるクライアント端末の代表表示例である。
【図１２】本発明の第２の実施の形態におけるクライアント端末の詳細表示例（その１）である。
【図１３】本発明の第２の実施の形態におけるクライアント端末の詳細表示例（その２）である。
【図１４】本発明の第２の実施の形態におけるクライアント端末の表示制御部の処理のフローチャート（その１）である。
【図１５】本発明の第２の実施の形態におけるクライアント端末の表示制御部の処理のフローチャート（その２）である。
【図１６】本発明の第２の実施の形態における代表表示（初期表示）から詳細表示への画面遷移例を示す図である。
【符号の説明】
【０１１５】
１００  情報提供サーバ
１０１  最新ページ収集手段、最新ページ収集部
１０２  ページ分類手段、ページ分類部
１０３  ページ語抽出手段、ページ語抽出部
１０４  検索語収集手段、検索語収集部
１０５  検索語集計手段、検索語集計部
１０６  検索語分類手段、検索語分類部
１０７  分類済み語蓄積部
１０８  統合手段、統合部
１０９  統合情報蓄積部
１１０  カテゴリ情報蓄積部
１２０  ページ語選出部
１３０  検索語選出部
２００  クライアント端末
２１０  表示制御手段、表示制御部
２１１  期間ボタン
２１２  再現ボタン
２１３  ページ語
２１４  検索語
２１５  カテゴリ集合
２１６  カテゴリ名
２１７  トップを表すマーク
２１９  代表語
２２０  詳細語
２２１  「２００３年８月４日の時点で存在していた詳細語
３００  検索システム
３０１  平行移動中の代表語
３０２  詳細表示時表示される語の中で、拡大中のカテゴリの領域内に配置されている語
３１０  ページ情報収集蓄積部
３２０  キーワード検索部
５０１  カテゴリＡに属する単語
５０２  カテゴリＢに属する単語
５０３  カテゴリＣに属する単語
５１０  検索語の使用回数
６０１，６０２  統合情報
６１０，６１１  語の収集日時
６２０，６２１  識別子
【図１】
2005122683.tif 000003
【図２】
2005122683.tif 000004
【図３】
2005122683.tif 000005
【図４】
2005122683.tif 000006
【図５】
2005122683.tif 000007
【図６】
2005122683.tif 000008
【図７】
2005122683.tif 000009
【図８】
2005122683.tif 000010
【図９】
2005122683.tif 000011
【図１０】
2005122683.tif 000012
【図１１】
2005122683.tif 000013
【図１２】
2005122683.tif 000014
【図１３】
2005122683.tif 000015
【図１４】
2005122683.tif 000016
【図１５】
2005122683.tif 000017
【図１６】
2005122683.tif 000018